(57)【特許請求の範囲】
【請求項１】
液体が含浸された状態で積み重ねられた複数枚の清拭シートと、
非透液性の材料で前記清拭シートの取出口を有した袋状に形成され、内部に前記清拭シートを収納した収納袋と、
前記収納袋の取出口の周囲に接着され、前記取出口と対応する位置に開口部が形成された補強シートと、
前記開口部と対応する位置に該開口部より大きい窓部を有した箱状に形成され、前記補強シート付きの収納袋を収納した保護容器と、
前記補強シートに設けられ、前記開口部の密封及び開封が繰り返し可能な粘着部を有した蓋部材とを備え、
前記補強シートが、前記窓部の周囲で前記保護容器の内面に接着されていることを特徴とする清拭シートの包装体。
【請求項２】
前記収納袋の底面と前記清拭シートとの間に配置され、前記清拭シートとほぼ同一の外形を有する形状保持部材をさらに備えたことを特徴とする請求項１に記載の清拭シートの包装体。
【請求項３】
前記形状保持部材は、前記清拭シートと対向する対向面を備え、少なくとも前記対向面が前記清拭シートとは異なる色に着色されていることを特徴とする請求項２に記載の清拭シートの包装体。
【請求項４】
前記形状保持部材は、保液体を備え、前記清拭シートに含まれる液体が含浸されていることを特徴とする請求項２または３に記載の清拭シートの包装体。
【発明の詳細な説明】
【０００１】
【発明の属する技術分野】
本発明は、ウェットティシュ等の液体が含浸された清拭シートを包装した包装体に関するものである。
【０００２】
【従来の技術】
従来、ウェットティシュ等の清拭シートを包装した包装体としては、例えば実公平６−３５３号公報で提案されているものがある。図３に示すように、この包装体５１では、上面に取出口５３が形成された軟質材料からなる収納袋５５に、複数の清拭シート５７が収納され、この収納袋５５がさらに硬質材料からなる保護容器５９に収納されている。保護容器５９には、収納袋５５の取出口５３と対応する位置に、この取出口５３より大きい窓部６１が形成されており、また収納袋５５には、取出口５３を繰り返し開閉可能な蓋部材６３が取り付けられている。
【０００３】
収納袋５５は、上面の周縁が接着剤Ｇにより保護容器５９に接着されており、取出口５３の周囲を緊張状態としている。これにより、変形しやすい取出口５３の周囲が補強され、蓋部材６３の開閉により収納袋５５が変形したり皺が寄るのを防止し、取出口５３を完全に封鎖できるようにしている。さらに、収納袋５５は、形状保持のため、その底面が接着剤Ｇで保護容器５９に接着されている。
【０００４】
【発明が解決しようとする課題】
しかしながら、上記のような構成では、取出口５３の周囲を緊張させているだけであり、収納袋５５自体の強度は向上していないため、その補強は十分とは言えず、蓋部材６３を繰り返し開閉すると、やはり軟質な収納袋５５が取出口５３の周囲で変形したり皺が寄るという問題がある。これにより、取出口５３を閉じたときに隙間が生じて収納袋５５内の気密性を保てないことがあり、その結果、清拭シート５７が早期に乾燥して清拭性能が低下するおそれがあった。
【０００５】
本発明は、上記問題を解決するためになされたものであり、蓋部材を繰り返し開閉しても、収納袋が取出口の周囲で変形するのを防止して収納袋の気密性を高め、清拭シートの乾燥を長期に亘って防止することができる清拭シートの包装体を提供することを目的とする。
【０００６】
【課題を解決するための手段】
本発明は、上記目的を達成するため、液体が含浸された状態で積み重ねられた複数枚の清拭シートと、非透液性の材料で前記清拭シートの取出口を有した袋状に形成され、内部に前記清拭シートを収納した収納袋と、前記収納袋の取出口の周囲に接着され、前記取出口と対応する位置に開口部が形成された補強シートと、前記開口部と対応する位置に該開口部より大きい窓部を有した箱状に形成され、前記補強シート付きの収納袋を収納した保護容器と、前記補強シートに設けられ、前記開口部の密封及び開封が繰り返し可能な粘着部を有した蓋部材とを備え、前記補強シートが、前記窓部の周囲で前記保護容器の内面に接着されていることを特徴とする清拭シートの包装体を提供するものである。
【０００７】
また、前記包装体は、前記収納袋の底面と前記清拭シートとの間に配置され、前記清拭シートとほぼ同一の外形を有する形状保持部材をさらに備えたものとすることができる。
【０００８】
前記形状保持部材は、前記清拭シートと対向する対向面を備え、少なくとも前記対向面が前記清拭シートとは異なる色に着色されているものとすることができる。
【０００９】
また、前記形状保持部材は、保液体を備え、前記清拭シートに含まれる液体が含浸されているものとすることができる。
【００１０】
【発明の実施の形態】
以下、本発明に係る清拭シートの包装体の一実施形態について図面を参照しつつ説明する。図１はこの実施形態に係る清拭シートの包装体の斜視図、図２は図１のＡ−Ａ線断面図である。
【００１１】
図１及び図２に示すように、本実施形態に係る包装体１では、洗浄用の液剤が含浸している複数の清拭シート３を積み重ねた状態で収納袋５に収納し、この収納袋５をさらに保護容器７に収納している。
【００１２】
収納袋５は、内側から線状低密度ポリエチレン（ＬＬＤＰＥ）、アルミニウム箔、２軸延伸ポリプロピレン（ＯＰＰ）を積層した３層構造のフィルムで構成され、軟質で、非透液性にされている。収納袋５の上面には、清拭シート３の取出口９が形成されるとともに、ポリエチレンテレフタレート（ＰＥＴ）からなる矩形状の補強シート１１が公知の接着剤Ｇにより接着されている。補強シート１１には、収納袋５の取出口９と対応する位置に、取出口９よりやや大きい開口部１３が形成されるとともに、その上面に開口部１３の密封及び開封が繰り返し可能な蓋部材１５が取り付けられている。この蓋部材１５は、ＯＰＰ及びＰＥＴのラミネートフィルムにより構成され、補強シート１１と対向する面に粘着剤（粘着部）が塗布されている。
【００１３】
また、収納袋５には、底面と清拭シート３との間に、形状保持部材としてのマット部材１７が配置されている。このマット部材１７は、厚さが約５ｍｍ程度で矩形状に形成され、パルプ不織布をレーヨン不織布で挟んだ三層構造になっており、清拭シート３に含浸されているものと同じ液剤が含浸されている。また、清拭シート３と対向する側のレーヨン不織布１７ａは、清拭シート３と異なる色が着色されている。
【００１４】
保護容器７は、厚紙等の硬質材料で箱状に形成され、補強シート１１の開口部１３と対応する位置に、この開口部１３より大きい窓部１９が形成されている。そして、図２に示すように、補強シート１１が、この窓部１９の周囲で公知の接着剤Ｇにより保護容器７の内面に接着されている。なお、使用前の状態では、保護容器７の窓部１９は、ミシン目を介して保護容器７と一体的に形成された外蓋２１（図１）によって塞がれており、使用に際して外蓋２１を切り離すようになっている。
【００１５】
このように構成された清拭シートの包装体１によれば、収納袋５の上面に補強シート１１を接着することで取出口９の周囲を補強シート１１と一体化し、さらに補強シート１１を窓部１９の周囲で保護容器７の内面に接着しているため、取出口９の周縁付近から保護容器７の窓部１９周辺に至る広い領域を補強することができる。これにより、蓋部材１５を繰り返し開閉した場合であっても、取出口９の周囲が変形したり、或いは皺が発生したりするのを確実に防止することができ、蓋部材１５を閉じたときの収納袋５内の気密性を大きく向上することができる。その結果、液剤が含浸された清拭シート３の乾燥を長期間に亘って防止することができ、清拭シート３の洗浄性能を維持することができる。
【００１６】
また、清拭シート３のものと同じ液剤が含浸されたマット部材１７が収納袋５内に配置されているため、蓋部材１５の開閉等により清拭シート３から液剤が蒸発してもその補充をすることができる。特に、多数の清拭シート３が収納される包装体では、清拭シート３が使い切られるまでに長期間を要する上、使用者が何回も蓋部材１５を開閉するため、清拭シート３は液剤が蒸発しやすい状況にある。
【００１７】
そこで、上記したマット部材１７を収納袋５内に配置しておくと、最後の１枚まで清拭シート３中の液剤の含浸量が適度に保持され、清拭シートの洗浄性能をより確実に維持することができる。なお、本実施形態のマット部材１７は、多量の液剤を吸収可能とするために中央にパルプ不織布を配置するとともに、液剤の揮発量を適量に調整するためパルプ不織布の両側をレーヨン不織布でラミネートしている。但し、これ以外にも、多量の液剤を吸収するとともに、液剤の揮発量を適量に調整できるものであれば、種々の材料を使用することができる。
【００１８】
また、マット部材１７は、収納袋５の形状を保持し、柔らかい清拭シート３が変形するのを防止する役割を果たしているが、次のような効果を得ることもできる。すなわち、従来例では、軟質な収納袋の形状を保持するため、収納袋の上面に加え、下面も保護容器の内面に接着して固定しているが、このように接着するためには、製造工程において収納袋を上面及び下面の両面から押圧しつつ保護容器を箱状に完成させる必要がある。したがって、保護容器内の収納袋は上下両面から押圧された収納状態となる。その結果、収納袋内で清拭シートが圧縮されて、隣接する清拭シートの接触圧が高くなり、清拭シートの取り出し時に２枚同時に取り出されることがある。
【００１９】
これに対して、本実施形態では、マット部材１７で収納袋５底部の形状保持を行い、上面側のみ、つまり補強シート１１を保護容器７に接着しているため、製造工程において収納袋５に過度の圧力が作用するのを防止することができる。例えば、保護容器７を箱状にする前の展開状態で収納袋５を保護容器７上面に接着し、その後に箱状に組み立てれば、収納袋５の底面と保護容器７との底面との間に隙間が形成され、或いは両者の接触圧を小さくすることができる。また、この製造方法によると、収納袋５が窓部１９の周囲に接着されて保護容器７内で吊り下げられた状態となるので、最上部の清拭シート３と取出口９との間に適度な隙間が形成され、収納袋５内の清拭シート３が密な積重状態となるのが防止される。その結果、隣接する清拭シート３の接触圧が高くなって２枚同時に取り出されるのを防止することができ、清拭シート３を適度な柔らかさを保った状態で収納袋５に保持することができる。
【００２０】
さらに、マット部材１７は、清拭シート３との対向面が着色されているため、使用者が最後の清拭シートを取り出したときに、対向面の着色を見ることで、収納袋５内のシートをすべて使い切ったことを容易に視認することできる。
【００２１】
上記実施形態では、本発明の包装体を洗浄用の液剤を含浸させた清拭シートに対して適用しているが、これ以外にも、例えば水、消毒用アルコール、洗顔料等種々の液体を含浸させた清拭シートに対しても適用できることは言うまでもない。
【００２２】
また、包装体１を構成する材料は上記したものに限定されるものではない。収納袋５は、例えば外層に非透液性の材料、内層に袋形成のための溶着可能な材料を配置したラミネート構造ですることができる。外層に配置される材料としては、普通セロハン、防湿セロハン、Ｋコートセロハン、ＫコートＯＰＰ、蒸着ＯＰＰ、ポリエステル、Ｋコートポリエステル、蒸着ポリエステル、２軸延伸ナイロン、Ｋコートナイロン、未延伸ナイロン、Ｋコート未延伸ナイロン、延伸ビニロン、エチレンビニルアルコール、紙等を用いることができ、内層に配置される材料としては、低密度ポリエチレン、中密度ポリエチレン、高密度ポリエチレン、エチレン酢酸ビニル共重合体、未延伸ポリプロピレン、蒸着未延伸ポリプロピレン、アイオノマー樹脂等を用いることができる。
【００２３】
補強シート１１は、蓋部材１５を繰り返し開閉しても変形しない材料で構成されていればよく、上記収納袋の外層と同じ材料を用い、厚さを増す等して剛性を高めたもので構成することができる。また、板状の補強シートを貼り付ける以外に、収納袋５の上面に未硬化の上記材料を塗布し硬化させることで構成してもよく、或いはグラビア印刷等の印刷により収納袋５の上面に補強シートを形成してもよい。
【００２４】
保護容器７は、収納袋５を補強できるように、上記厚紙以外に、例えばプラスチック等の硬質材料で構成することができる。
【００２５】
また、蓋部材１５は補強シート１１に対して繰り返し接着できる材料で構成されていればよく、上記収納袋の外層に用いられる材料で構成することができる。
【００２６】
【発明の効果】
以上から明らかなように、本発明によれば、収納袋に補強シートを接着することで取出口の周囲を補強シートと一体化し、さらに補強シートを窓部の周囲で保護容器の内面に接着しているため、取出口の周縁付近から保護容器の窓部の周辺に至る広い領域を補強することができる。これにより、蓋部材を繰り返し開閉した場合であっても、取出口の周囲が変形したり、或いは皺が発生したりするのを確実に防止することができ、蓋部材を閉じたときの収納袋内の気密性を大きく向上することができる。その結果、長期間に亘って、液剤が含浸された清拭シートの乾燥を防止することができ、清拭シートの清拭性能を維持することができる。
【００２７】
また、収納袋の底面と清拭シートとの間に形状保持部材を配置することで、収納袋の底部が補強されるため、接着箇所を収納袋の取出口側のみ、つまり補強シートと保護容器との間のみにすることができる。そのため、製造工程において、収納袋に作用する接着時の押圧力を低減することができ、清拭シートが圧縮されるのを防止することができる。その結果、隣接する清拭シートの接触圧が高まって２枚同時に取り出されたりするのを未然に防止できる。さらに、収納袋が窓部の周囲に接着されて保護容器内で吊り下げられた状態となるので、最上部の清拭シートと取出口との間に適度な隙間を形成することができ、これにより収納袋内で清拭シートが密な積重状態となるのが防止される。その結果、上記と同様に、隣接する清拭シートの接触圧を低減することができ、２枚同時に取り出されるのを防止することができる。
【００２８】
また、形状保持部材の清拭シートとの対向面を着色すれば、使用者が最後の清拭シートを取り出したときに、対向面の着色を見ることで、収納袋内のシートをすべて使い切ったことを容易に視認することできる。
【００２９】
また、形状保持部材に保液体を設け、この保液体に清拭シートのものと同じ液剤を含浸させることで、蓋部材の開閉によって清拭シートから蒸発した液体を補充することができ、その結果、清拭シートの清拭性能が低下するのを防止することができる。
【図面の簡単な説明】
【図１】本発明に係る清拭シートの包装体の一実施形態を示す斜視図である。
【図２】図１のＡ−Ａ線断面図である。
【図３】従来の清拭シートの包装体の断面図である。
【符号の説明】
１      包装体
３      清拭シート
５      収納袋
７      保護容器
９      取出口
１１    補強シート
１３    開口部
１５    蓋部材
１７    マット部材（形状保持部材）
１９    窓部
【図１】
0004618939.tif 000002
【図２】
0004618939.tif 000003
【図３】
0004618939.tif 000004